(57)【特許請求の範囲】
【請求項１】
表面に指掛凹部を有するとともに外径の一部に段部が凹設されるケーシングと、このケーシングの表面周囲に張り出しされるフランジ部とを備えてなる一組の引手本体が形成され、一組の引手本体には段部に設けられる係止受部と、この係止受部に係入する弾性係止片とが対向して複数列設けられているとともに、これら複数列設けられた係止受部と弾性係止片とは各列のピッチが略同一に形成され、かつ、係止受部と弾性係止片とのいずれか一方についてピッチを均等の幅でずらした状態で各列が設けられており、
それら弾性係止片と係止受部のいずれか一方又は双方が戸の厚み方向に複数個形成され、戸に穿設した貫通孔の両面からケーシングが嵌入されて組付けされていることを特徴とする引手。
【請求項２】
表面に指掛凹部を有するとともに外径の一部に段部が凹設されるケーシングと、このケーシングの表面周囲に張り出しされるフランジ部とを備えてなる引手本体と、表面に平面状のカバー部を有するとともに前記ケーシングの外径位置に対応して突設されるガイドポストと、このガイドポストの一部に凹設される段部を有するカバー本体とから成り、
引手本体とカバー本体の段部に設けられる係止受部と、この係止受部に係入する弾性係止片とが対向して複数列設けられているとともに、これら複数列設けられた係止受部と弾性係止片とは各列のピッチが略同一に形成され、かつ、係止受部と弾性係止片とのいずれか一方についてピッチを均等の幅でずらした状態で各列が設けられており、
それら弾性係止片と係止受部のいずれか一方又は双方が戸の厚み方向に複数個形成され、戸に穿設した貫通孔の両面からケーシングとガイドポストとが嵌入されて引手本体とカバー本体とが組付けされていることを特徴とする引手。
【請求項３】
弾性係止片は、ケーシングの底面からその外径内側に突設されている請求項１又は２に記載の引手。
【請求項４】
弾性係止片の先端に係止受部に向けて係止爪が突設されている請求項１〜３のいずれかに記載の引手。
【請求項５】
係止受部と弾性係止片とがそれぞれケーシング又はカバー部の対角に略対称形に設けられている請求項１〜４のいずれかに記載の引手。
【発明の詳細な説明】
【０００１】
【発明の属する技術分野】
本発明は、建具や家具等の引戸や扉類に取り付けられる引手に関するものである。
【０００２】
【従来の技術】
従来引戸類に取り付けされる引手９０は、図９に示されるように、表面に指掛凹部９２を有するケーシング９１と、その表面周囲に外方へ向かって張り出しされるフランジ部９３とを備えて構成されている。
【０００３】
上記引手９０の取り付けに際しては、引戸９４に掘込穴９５を設け、この掘込穴９５にケーシング９１を埋設し、指掛凹部９２の上壁９６と下壁９７とから掘込穴９５の側壁へとくぎ９８をそれぞれ打ち込みして固定していた。
【０００４】
【発明が解決しようとする課題】
ところで、くぎ９８を上壁９６と下壁９７とに垂直に打ち込みして取り付けする場合には、指掛凹部９２の上下寸法で金槌の打ち込みストロークが規制されるために、打ち込みに力を加えられないものであった。特に、上壁９６に向けて下側から打ち上げ作業することは、著しく面倒となるものであり、いずれにしても組付け作業に手間と時間とがかかるものであった。
【０００５】
また、打ち込み作業に際しては、指掛凹部９２から離れる前面側から斜めにくぎ９８を打ち込みがちとなるもので、斜め打ち込みしたときにはくぎ９８の頭部が上壁９６と下壁９７とから斜めに露出するおそれが避けられなかった。くぎ９８の頭部が僅かでも斜めに露出すると、使用者の指先に触れてしまう可能性があった。
【０００６】
さらに、引戸９４を継続使用すると、開閉時の柱等との衝撃の繰り返しによってくぎ９８が上壁９６と下壁９７とから早期に浮き出てくることがある。その結果、使用者の指先に触れるばかりか、引手９０が脱落することが懸念される。
【０００７】
くぎ９８に代えてねじを使用することもあるが、ねじ込みに際には、ドライバーが指掛凹部９２に規制されて斜めから使用されるもので、依然作業が面倒となるものであった。また、叙述と同様に斜めの露出と浮き出しとが避けられないものであった。
【０００８】
本発明は、このような事情に対処してなされたもので、引手を掘込穴に簡単にワンタッチで取り付けし、安全性を高めるようにした引手を提供することを目的とするものである。
【０００９】
【課題を解決するための手段】
上記した目的を達成するための本発明の構成は、次のとおりである。
請求項１に記載した発明は、表面に指掛凹部を有するとともに外径の一部に段部が凹設されるケーシングと、このケーシングの表面周囲に張り出しされるフランジ部とを備えてなる一組の引手本体が形成され、一組の引手本体には段部に設けられる係止受部と、この係止受部に係入する弾性係止片とが対向して複数列設けられているとともに、これら複数列設けられた係止受部と弾性係止片とは各列のピッチが略同一に形成され、かつ、係止受部と弾性係止片とのいずれか一方についてピッチを均等の幅でずらした状態で各列が設けられており、それら弾性係止片と係止受部のいずれか一方又は双方が戸の厚み方向に複数個形成され、戸に穿設した貫通孔の両面からケーシングが嵌入されて組付けされていることを特徴としている。
【００１０】
この構成によれば、戸に穿設された貫通孔の両面から一組の引手本体双方のケーシングを嵌入すると弾性係止片が対向して設けられた係止受部に係入する。その結果、弾性作用によって係止された状態で一組の引手本体が組付けされ、戸に取付けされる。弾性係止片と係止受部のいずれか一方又は双方は戸の厚み方向に複数個形成されているので、戸の厚みに応じて戸と引手とが密接して固定される位置で弾性係止片は係止受部に係入し、取付けされる。
また、係止受部と弾性係止片との係止する位置が多くなるので、確実に係止されて引手は取付けされる。
さらに、複数列設けられた係止受部と弾性係止片のいずれか一方は、各列のピッチは同一でありながらピッチが均等の幅にずれた状態で設けられる。係止受部と弾性係止片とは、複数列設けられた弾性係止片のいずれかが係止受部の所望の位置で係止される。即ち、ピッチ幅を狭くしなくても戸の厚みにきめ細かく対応し、戸と引手とがより密接して固定された位置で弾性係止片は係止受部に係入し、取付けされる。
【００１１】
請求項２に記載した発明は、表面に指掛凹部を有するとともに外径の一部に段部が凹設されるケーシングと、このケーシングの表面周囲に張り出しされるフランジ部とを備えてなる引手本体と、表面に平面状のカバー部を有するとともに前記ケーシングの外径位置に対応して突設されるガイドポストと、このガイドポストの一部に凹設される段部を有するカバー本体とから成り、引手本体とカバー本体の段部に設けられる係止受部と、この係止受部に係入する弾性係止片とが対向して複数列設けられているとともに、これら複数列設けられた係止受部と弾性係止片とは各列のピッチが略同一に形成され、かつ、係止受部と弾性係止片とのいずれか一方についてピッチを均等の幅でずらした状態で各列が設けられており、それら弾性係止片と係止受部のいずれか一方又は双方が戸の厚み方向に複数個形成され、戸に穿設した貫通孔の両面からケーシングとガイドポストとが嵌入されて引手本体とカバー本体とが組付けされていることを特徴としている。
【００１２】
この構成によれば、戸に穿設された貫通孔の両面から引手本体のケーシングとカバー本体のガイドポストとを嵌入すると弾性係止片が対向して設けられた係止受部に係入する。その結果、弾性作用により係止された状態でとなり、一面には引手本体が設けられ、他面にはカバー本体が設けられた状態で組付けされる。弾性係止片と係止受部のいずれか一方又は双方は戸の厚み方向に複数個形成されているので、戸の厚みに応じて戸と引手とが密接して固定される位置で弾性係止片は係止受部に係入し、取付けされる。
また、係止受部と弾性係止片との係止する位置が多くなるので、確実に係止されて引手は取付けされる。
さらに、複数列設けられた係止受部と弾性係止片のいずれか一方は、各列のピッチは同一でありながらピッチが均等の幅にずれた状態で設けられる。係止受部と弾性係止片とは、複数列設けられた弾性係止片のいずれかが係止受部の所望の位置で係止される。即ち、ピッチ幅を狭くしなくても戸の厚みにきめ細かく対応し、戸と引手とがより密接して固定された位置で弾性係止片は係止受部に係入し、取付けされる。
【００１３】
また、請求項３において、弾性係止片がケーシング又はガイドポストの底面からその外径内側に突設されている。
【００１４】
この手段によると、弾性係止片と係止受部とが貫通孔内で係止された状態で、引手が取付けされる。
【００１５】
また、請求項４において、弾性係止片の先端に係止受部に向けて係止爪が突設されている。
【００１６】
この手段によると、弾性係止片の先端に突設された係止爪が確実に係止受部にで係止し、引手が取付けされる。
【００１７】
また、請求項５において、係止受部と弾性係止片とがそれぞれケーシングの対角に略対称形に設けられている。
【００１８】
この手段によると、引手の取付時に引手本体の向きを問わず引手は取付けされる。また、少なくとも４ヵ所で係止受部と弾性係止片とが係止し、確実に引手が取付けされる。
【００２５】
【発明の実施の形態】
以下、本発明の実施の形態を図面に基づいて説明する。図１〜図５は、引戸の両面に引手を取付ける場合の一実施の形態を示したものである。
【００２６】
引手１は、同一の形状を有する一組の引手本体２，３から概略構成される。引手本体２，３はそれぞれ全体が樹脂成形されるのが好ましい。
【００２７】
引手本体２は、表面に指掛凹部２２を有するとともに外径の一部に段部２４が凹設されるケーシング２１とこのケーシング２１の表面周囲に張り出しされるフランジ部２３とを有し、一組の引手本体２，３を組付けるために段部２４に設けられる係止受部２５と弾性係止片２６とから構成される。図示するように、ケーシング２１の外径は略略小判形を呈するが、その他に平面視矩形や環状等の各種形態を採用することができる。また、ケーシング２１は貫通孔４１の径と略略同径とし、同一径で底面２１ａまで延長する。
【００２８】
段部２４は、ケーシング２１の外径の一部を凹設して形成することができ、本実施の形態においてはケーシング２１の上下方向にそれぞれ対角の位置に段部２４ａ，２４ｂが凹設されている。段部２４にはケーシング２１の底面２１ａに向かって傾斜を有する案内面２４１を形成することができる。
【００２９】
係止受部２５は、前記弾性係止片２６と引手本体２の上下に対向して設けられるものであって、段部２４に断面略三角形を呈し後述する係止爪３７が係止するのに必要な深さの溝状に形成することができ、段部２４ａ，２４ｂそれぞれに係止受部２５ａ，２５ｂが設けられている。係止受部２５は、引戸４の厚みによって係止爪３７の係入する位置を変更することができるように、引戸４の厚み方向に複数個連続して設けることが望ましい。
【００３０】
弾性係止片２６は、係止受部２５と引手本体２の上下に対向して設けられるものであって、ケーシング２１の底面２１ａからその外径内側であって対となる引手本体３に設けられた係止受部３５と対向する位置に設けられ、それぞれ係止受部３５ａ，３５ｂに対応して弾性係止片２６ａ，２６ｂを設けることができる。弾性係止片２６はその内側面２６１を先端外方へ傾斜して形成することができ、先端には内側方向に向かって断面略三角形状を呈する係止爪２７（２７ａ，２７ｂ）を突設させることができる。一方、弾性係止片２６の外側面２６２には弾性係止片２６に弾性を与えるために空所２８（２８ａ，２８ｂ）を設けることができる。
【００３１】
次に、引手１の引戸４への取付けについて説明する。
まず、引戸４には，引手本体２，３を取付ける位置に貫通孔４１を穿設しておく。貫通孔４１の両面からケーシング２１，３１を貫通孔４１の内壁４２に沿って嵌入させる。弾性係止片２６，３６はそれぞれ段部３４，２４に設けられた案内面３４１，２４１に案内されて係止受部３５，２５への係入を開始する。このとき、弾性係止片２６，３６は、空所２８，３８によって曲げ弾性が得られるので、係止受部３５，２５と反対の方向に湾曲する。そして、弾性係止片２６，３６の係止爪２７，３７は、ケーシング２１の引戸４の厚み方向に複数個形成された係止受部３５，２５のいずれかに係入する。その結果、引戸４の厚みに応じて引戸４の表面４３とフランジ部２３，３３の裏面２３ａ，３３ａとの間に隙間の生じない状態で係止爪２７，３７は係入し、引手本体２と引手本体３とが組付けされる。
【００３２】
なお、引手本体２，３は同一の形状を有しており、しかも、引手本体２の係止受部２５と弾性係止片２６、及び引手本体３の係止受部３５と弾性係止片３６とをケーシング２１，３１の対角にそれぞれ対称形となるように配置して並設させたので、引手本体２，３いずれかの上下方向を逆にしても組付けすることができる。具体的には、引手本体２の係止受部２５ａに引手本体３の係止爪３７ｂが係入するが如くである。
【００３３】
以上より、本実施の形態によれば、引手１は一組の引手本体２，３を引戸４に穿設された貫通孔４１の両面から嵌入させ、弾性係止片２６，３６をそれぞれに対向する係止受部３５，２５に弾性力を利用して係止させるだけのワンタッチで、引手本体２と引手本体３とを組付けることができる。特に、弾性係止片２６，３６に係止爪２７，３７を設けることにより、深い係止状態を得ることができる。また、係止受部２５，３５を引戸４の厚み方向に複数個連続して形成しているので、引戸４の厚みに応じて、引戸４の表面４２とフランジ部２３の裏面２３ａとの間に隙間の生じない状態で引手本体２，３を組付けすることができる。
【００３４】
また、係止受部２５，３５と弾性係止片２６，３６とをケーシング２１，３１の対角にそれぞれ対称形となるように配置して並設させたので、引手本体２，３の上下方向を気にすることなく組付けすることができるとともに、このような構成とすることで、少なくとも４ヵ所で係止状態を得ることができるので、安定した状態で確実に引手本体２，３を取付けることができる。
【００３５】
さらに、引手本体２，３の形状を同一形状としたことにより、一つの型で量産することができる。しかも、引手１の運搬、管理等についても簡素化が図られる。
【００３６】
図６は、引戸の一面に引手を取付ける場合の一実施の形態を示したものである。
【００３７】
本実施の形態における引手１は、引手本体２とカバー本体５とから概略構成される。なお、引手本体２については、前述の実施の形態と同様の構成を採用しているので説明を省略する。また、カバー本体５についても引手本体２と同様に形状等を有する構成部分については説明を省略する。
【００３８】
カバー本体５は、表面に平面上のカバー部５２を有するとともに対となる引手本体２のケーシング２１の外径位置に対応して突設されるガイドポスト５１と、ガイドポスト５１の一部に凹設される段部２４とを有し、一組の引手本体２とカバー本体５とを組付けるために段部５４に設けられる係止受部５５と弾性係止片５６とから構成される。なお、引手本体２と同様、カバー本体５についても全体が樹脂成形されるのが好ましい。
【００３９】
前記ガイドポスト５１は、引手１の取付けの際の位置決めのものであって、カバー部の５２の裏面から突設されている。図示するように、ガイドポスト５１は引手本体２のケーシング２１の指掛凹部２２の外径となる部分を切除した形状に形成し、貫通孔４１の上下方向の内壁４２ａ，４２ｂと当接する位置に設けることができる。そして、外径を同一のまま引戸４の厚みに応じて延長する。そして、このガイドポスト５１に段部５４、係止受部５５、弾性係止片５６が設けられている。
【００４０】
次に、引手本体２とカバー本体５との取付け動作について説明する。
引戸４に穿設した貫通孔４１の両面からケーシング２１とガイドポスト５１を貫通孔４１の内壁４２に沿って嵌入させる。弾性係止片２６，５６はそれぞれ段部５４，２４に設けられた案内面５４１，２４１に案内されて係止受部５５，２５への係入を開始する。このとき、弾性係止片２６，５６は、空所２８，５８によって曲げ弾性が得られるので、係止受部５５，２５と反対の方向に湾曲する。そして、弾性係止片２６，５６の係止爪２７，５７は、ケーシング２１の引戸４の厚み方向に複数個形成された係止受部５５，２５のいずれかに係入する。その他の動作は、前述の実施の形態と同様であり、これにより、引手本体２とカバー本体５とが組付けされる。
【００４１】
以上より、本実施の形態によれば、例えば、収納用引戸の如く引戸の片面に引手を必要としないような場合においてもワンタッチで、貫通孔４１を閉塞させて引手本体２とカバー本体５とを組み付けることができる。
【００４２】
なお、本実施の形態においては、カバー本体５にガイドポスト５１をカバー部５２の裏面に突設させる構成を示したが、これに限られず、ガイドポスト５１に代えて、引手本体２に備えられたケーシング２１と同様のケーシングを備える構成とすることもできる。
【００４３】
図７，図８は、係止受部と弾性係止片についての他の実施の形態を示したものである。
【００４４】
上述の実施の形態においては、係止受部と弾性係止片とをそれぞれの位置に一列だけ設けたものを示したが、係止受部６５、弾性係止片６６をそれぞれ複数列設けることもできる。即ち、図７に示すように、係止受部６５、弾性係止片６６について、それぞれ２列ずつ（係止受部６５Ａ，６５Ｂ、弾性係止片６６Ａ，６６Ｂ）並列させて形成することができる。そして、同一のピッチで厚み方向に複数個連続する係止受部６５Ａと係止受部６５Ｂのピッチを半ピッチずつずらした状態でケーシング２１の底面２１ａ側から開始し、段部６４に設けることが好ましい。具体的には、例えば係止受部６５Ａ、６５Ｂそれぞれのピッチを約１ｍｍとした場合に、係止受部６５Ａのピッチに対して係止受部６５Ｂのピッチを約０．５ｍｍずらして設けることができる。その結果、この半ピッチずつずらし、且つ引戸４の厚み方向に複数個連続して設けられた係止受部６５Ａ，６５Ｂのいずれかに対となる引手本体の複数列設けられた弾性係止片の少なくとも一方の片が係入し、係止される。
【００４５】
これによると、係止受部６５と弾性係止片６６を複数列設けることにより、係止状態となる箇所が増加し、さらに安定した状態で引手１の組付けを行うことができる。また、複数列設けた係止受部６５Ａ，６５Ｂのピッチを半ピッチずらした状態で設けることにより、ピッチ幅を狭くしなくても弾性係止片６６の係止位置が多様化するので、引戸４と引手１とがより密接に固定される位置で係止し、きめ細かい戸厚対応が可能となる。
【００４６】
なお、図８に示すように、係止受部６５を３列設けた場合もピッチが均等の幅でずれた状態となるように、係止受部６５Ａ，６５Ｂ，６５Ｃの開始位置を約３分の１ピッチずつずれた状態で異なる位置に設けることが好ましく、３列以上となっても同様にすることができる。即ち、ピッチをＰ、係止受部６５及び弾性係止片６６の列数をｎとすると、ピッチはＰ／ｎずつずれた位置から開始させることができる。また、係止受部６５Ａ，６５Ｂのピッチの開始位置をずらすのではなく、逆に弾性係止片６６Ａ，６６Ｂのピッチの位置をずらすことによっても同様の効果を得ることができる。
【００４７】
なお、上述の全ての実施の形態において、係止受部２５，３５，５５，６５をそれぞれ引戸４の厚み方向に複数個形成する場合を示したが、この逆に弾性係止片２６，３６，５６，６６をそれぞれ引戸４の厚み方向に複数個形成し、単数の係止受部２５，３５，５５，６５に複数個連続する弾性係止片２６，３６，５６，６６のいずれかを係止させることによっても同様の効果を得ることができる。
【００４８】
また、係止受部２５，３５，５５，６５と弾性係止片２６，３６，５６，６６の双方を引戸４の厚み方向に複数個形成することもできる。この場合、係止受部２５，３５，５５，６５と弾性係止片２６，３６，５６，６６のピッチを同一のピッチとすればより確実な係止状態を得ることができる。
【００４９】
【発明の効果】
請求項１記載の発明によれば、戸に穿設された貫通孔の両面から嵌入させ、弾性力を利用して弾性係止片をそれぞれに対向する係止受部に係止させるだけのワンタッチで引手を戸の両面に簡単且つ正確に取付けることができるので、引手の取付け時間の短縮等、作業の効率化を図ることができる。しかも引手からくぎやねじ等を排除することができた。また、弾性係止片と係止受部のいずれか一方又は双方を戸の厚み方向に複数個形成しているので、戸の厚みに応じて戸の表面とフランジ部との間に隙間の生じない安定した状態で引手本体を組付けすることができる。
【００５０】
また、請求項２記載の発明によれば、収納用引戸の如く引戸の片面に引手を必要としないような場合においてもワンタッチで、貫通孔を閉塞させて引手を取付けることができる。
【図面の簡単な説明】
【図１】図１は、本発明に係る引手の一実施の形態を示す分解斜視図である。
【図２】図２は、引手の引戸への取付け状態の側面図である。
【図３】図３は、引手の取付け前の要部拡大側面図である。
【図４】図４は、引手の取付け開始後の要部拡大側面図である。
【図５】図５は、引手の取付け状態の要部拡大側面図である。
【図６】図６は、本発明に係る引手の他の実施の形態を示す分解斜視図である。
【図７】図７は、本発明に係る引手の他の実施の形態を示す要部拡大平面図である。
【図８】図８は、本発明に係る引手の他の実施の形態を示す要部拡大平面図である。
【図９】図９は、従来例を示す斜視図である。
【符号の説明】
１              引手
２，３，６      引手本体
４              引戸
５              カバー本体
２１，３１      ケーシング
２２，３２      指掛凹部
２３，３３      フランジ部
２４，３４，５４，６４      段部
２５，３５，５５，６５      係止受部
２６，３６，５６，６６      弾性係止片
２７，３７，５７    係止爪
４１            貫通孔
５１            ガイドポスト
５２            カバー部
【図１】
0003822671.tif 000002
【図２】
0003822671.tif 000003
【図３】
0003822671.tif 000004
【図４】
0003822671.tif 000005
【図５】
0003822671.tif 000006
【図６】
0003822671.tif 000007
【図７】
0003822671.tif 000008
【図８】
0003822671.tif 000009
【図９】
0003822671.tif 000010